(57)【要約】【課題】簡単な構成であって傾斜姿勢である第１ポジションと水平姿勢である第２ポジションとをとり得る被記録材スタッカ、及び該被記録材スタッカを備えた記録装置を提供する。【解決手段】記録装置本体部９と、上流側に回動支点５０ａを有し、下流側端部が上方向を向くような傾斜姿勢となり、被記録材をスタックする第１ポジションと、第１ポジションから水平方向に回動することにより、略水平姿勢となる第２ポジションと、をとり得る被記録材スタッカ５０とを備えた記録装置における被記録材スタッカ５０であって、被記録材スタッカ５０内部であり、かつ回動支点５０ａの上流側に付勢手段５５が配設され、第１ポジションは付勢手段５５の付勢力によって形成され、第２ポジションは付勢手段５５に作用して、付勢手段５５の付勢力に抗して被記録材スタッカ５０を水平方向に回動させる作用手段９０によって形成される。【選択図】　　　　図６
2004043094.tif 000002
【特許請求の範囲】
【請求項１】
被記録材に対して記録を行う記録部と、被記録材搬送経路を側視して前記記録部の下流側に配設され、記録の行われた被記録材を排紙する排紙ローラと、
を備えた記録装置本体部と、
前記排紙ローラの下流側に設けられ、上流側に回動支点を有し、下流側端部が上方向を向くような傾斜姿勢となり、被記録材をスタックする第１ポジションと、前記回動支点を中心として前記第１ポジションから水平方向に回動することにより、略水平姿勢となる第２ポジションと、
をとり得る被記録材スタッカと、
を備えた記録装置における当該被記録材スタッカであって、
この被記録材スタッカ内部であり、かつ前記回動支点の上流側に付勢手段が配設され、
前記第１ポジションは、前記付勢手段の付勢力によって形成され、
前記第２ポジションは、当該付勢手段に作用して、当該付勢手段の付勢力に抗して当該被記録材スタッカを水平方向に回動させる作用手段によって形成されることを特徴とする、被記録材スタッカ。
【請求項２】
請求項１において、前記付勢手段は、中央位置に固定部を有し、この固定部の両端部が自由端部を形成する、一部材からなる板バネから構成されていることを特徴とする、被記録材スタッカ。
【請求項３】
請求項１または請求項２において、前記作用手段は、当該被記録材スタッカの上部に着脱自在に装着可能な、被記録材を所定長さにカットするカッター装置であることを特徴とする、被記録材スタッカ。
【請求項４】
請求項１から請求項３のいずれか一項において、前記記録装置本体部に形成された位置決め部と係合することにより、当該被記録材スタッカを第２ポジションに位置決めし、かつ下流側端部が下方向を向く回動を規制するストッパ部を備えていることを特徴とする、被記録材スタッカ。
【請求項５】
請求項１から請求項４のいずれか一項において、当該被記録材スタッカは、蓋部と、この蓋部が取り付けられる本体部から構成される、上面が被記録材載置面をなすスタッカ基部を有し、
前記蓋部に前記付勢手段が配設されているとともに、当該蓋部に前記記録装置本体部に構成された下向きの係合突起を貫通して当該付勢手段と接触可能とする穴部が形成されていることを特徴とする、被記録材スタッカ。
【請求項６】
請求項５において、前記スタッカ基部は、使用時には排紙方向に向けて当該スタッカ基部から引き出されることによって上面が当該スタッカ基部とともに被記録材載置面を形成し、非使用時には上流側に向けて押し込まれることによって当該スタッカ基部に収納される、当該スタッカ基部に対して摺動可能に取り付けられたスタッカ引き出し部を有していることを特徴とする、被記録材スタッカ。
【請求項７】
請求項１から請求項６のいずれか一項に記載の被記録材スタッカを備えていることを特徴とする、記録装置。
【発明の詳細な説明】
【０００１】
【発明の属する技術分野】
本発明は、被記録材に対して記録を行う記録装置において、排紙された被記録材をスタックする被記録材スタッカに関する。また、この被記録材スタッカを備えた記録装置に関する。
【０００２】
【従来の技術】
記録装置の１つとしてインクジェットプリンタ（以下、「プリンタ」という。）があり、このプリンタの前面側には記録の行われた被記録材をスタックする被記録材スタッカが配設されている。この被記録材スタッカは、被記録材の搬送経路を側視して上流側に回動支点を備え、この回動支点を中心として回動することにより、使用時には下流側端部が上方向を向くような傾斜姿勢となり、非使用時には略垂直姿勢となってプリンタ設置スペースを節約するように構成されている。
【０００３】
プリンタは被記録材としてロール紙を使用可能に構成される場合があり、このようなプリンタにおいては、ロール紙を所定の長さで切断（カット）するカッター装置を、被記録材を排紙する排紙ローラの下流側（用紙排出口）に装着することがある。このカッター装置は、被記録材を狭持しつつ紙送りをする送りローラと、被記録材をカットするカッター刃を備え、被記録材を所定の長さでカットする。
【０００４】
【発明が解決しようとする課題】
このようなカッター装置を排紙ローラの下流側に設けようとすると、前記した傾斜姿勢の被記録材スタッカと干渉してしまい、カッター装置を装着不可能となってしまう。
【０００５】
そこで、このようなプリンタにおける被記録材スタッカは、カッター装置の非装着時に設定される、下流側端部が上方向を向くような傾斜姿勢となり、被記録材をスタックする第１ポジションと、カッター装置の装着時に設定される、前記回動支点を中心として前記第１ポジションから水平方向に回動することにより、略水平姿勢となる第２ポジションと、をとり得るように構成されているものがある。
【０００６】
このような被記録材スタッカにおいては、この被記録材スタッカの両側端部に設けられた板バネで回動支点より上流側を上方から下方に向けて押さえつけることによって、前記第１ポジションを形成するとともに、この板バネによる付勢力以上の力を作用させることによって、前記第２ポジションを形成している。このような構成においては、当該板バネを外観視できるので、ユーザーが接触して不具合を生じる虞があるとともに、特別の処理を施す必要がありコスト高を招いていた。
【０００７】
そこで本発明はこのような事情に鑑みなされたものであって、その課題は、簡単な構成であって傾斜姿勢である第１ポジションと水平姿勢である第２ポジションとをとり得る被記録材スタッカ、およびこの被記録材スタッカを備えた記録装置を提供することにある。
【０００８】
【課題を解決するための手段】
上記課題を解決するため、請求項１に記載の被記録材スタッカの発明は、被記録材に対して記録を行う記録部と、被記録材搬送経路を側視して前記記録部の下流側に配設され、記録の行われた被記録材を排紙する排紙ローラと、を備えた記録装置本体部と、前記排紙ローラの下流側に設けられ、上流側に回動支点を有し、下流側端部が上方向を向くような傾斜姿勢となり、被記録材をスタックする第１ポジションと、前記回動支点を中心として前記第１ポジションから水平方向に回動することにより、略水平姿勢となる第２ポジションと、をとり得る被記録材スタッカと、を備えた記録装置における当該被記録材スタッカであって、この被記録材スタッカ内部であり、かつ前記回動支点の上流側に付勢手段が配設され、前記第１ポジションは、前記付勢手段の付勢力によって形成され、前記第２ポジションは、当該付勢手段に作用して、当該付勢手段の付勢力に抗して当該被記録材スタッカを水平方向に回動させる作用手段によって形成されることを特徴とする。
【０００９】
本発明の被記録材スタッカによれば、傾斜姿勢において被記録材をスタックする第１ポジションと、この第１ポジションから水平方向に回動して、略水平姿勢となる第２ポジションとをとり得るように構成されている。従って、第１ポジションにおいては、記録部において記録が行われた被記録材を確実にスタックすることができ、一方、第２ポジションにおいては、例えば、被記録材を所定長さでカットするカッター装置を装着する際に、当該カッター装置が被記録材スタッカと干渉することがなく、スムーズに装着することができる。
【００１０】
また、この被記録材スタッカは、その内部であり、かつ回動支点の上流側に付勢手段が配設されており、第１ポジションは、この付勢手段の付勢力によって形成され、第２ポジションは、前記付勢手段に作用して、当該付勢手段の付勢力に抗して当該被記録材スタッカを水平方向に回動させる作用手段によって形成される。従って、被記録材スタッカ内部にある付勢手段にユーザーが接触することがなく、ユーザーが接触することによる不具合を生じる虞がないとともに、外観からは観察不可能であるため、特別の処理を施す必要が無く、コスト低減を図ることが可能である。
【００１１】
また、付勢手段の付勢力を変えることにより、第１ポジションにおける傾斜角度を調節することができるとともに、この付勢力に抗して第２ポジションとする作用手段の作用力をも調節することができる。すなわち、例えば付勢手段による付勢力を所定値以上としておくことにより、第１ポジションにおいて、被記録材をスタックする最適な傾斜角度を形成することができ、同ポジションにおいて複数枚の被記録材がスタックした場合であっても、その傾斜角度を保つことが可能である。さらに、作用手段によって当該被記録材スタッカを回動させる場合に、容易に回動させることができるとともに、この作用手段による作用を解除することによって、当該被記録材スタッカを第１ポジションとすることができる。
【００１２】
また、請求項２に記載の被記録材スタッカの発明は、請求項１において、前記付勢手段は、中央位置に固定部を有し、この固定部の両端部が自由端部を形成する、一部材からなる板バネから構成されていることを特徴とする。
【００１３】
本発明の被記録材スタッカによれば、付勢手段が板バネからなるので、付勢手段を低コストで構成することができる。また、例えば固定部を中心として、この対称位置の自由端部に同方向に、同程度の荷重を作用させることによって、同程度の付勢力を得られる。従って、該固定部を当該被記録材スタッカの略中心部に配設することによって、左右に均等な安定した付勢力を得ることができる。
【００１４】
また、請求項３に記載の被記録材スタッカの発明は、請求項１または請求項２において、前記作用手段は、当該被記録材スタッカの上部に着脱自在に装着可能な、被記録材を所定長さにカットするカッター装置であることを特徴とする。
【００１５】
本発明の被記録材スタッカによれば、作用手段は、この被記録材スタッカの上部に着脱自在に装着可能な、被記録材を所定長さにカットするカッター装置であるため、被記録材スタッカを第２ポジションとする専用の作用手段を設ける必要ないとともに、被記録材スタッカがカッター装置と干渉することなく、すなわち装着の際の邪魔となることがない。
【００１６】
また、請求項４に記載の被記録材スタッカの発明は、請求項１から請求項３のいずれか一項において、前記記録装置本体部に形成された位置決め部と係合することにより、当該被記録材スタッカを第２ポジションに位置決めし、かつ下流側端部が下方向を向く回動を規制するストッパ部を備えていることを特徴とする。
【００１７】
本発明の被記録材スタッカによれば、記録装置本体部に形成された位置決め部と係合することにより、当該被記録材スタッカを第２ポジションとし、かつ下流側端部が下方向を向く回動を規制するストッパ部を備えているので、スタックした被記録材が当該被記録材スタッカから滑り落ち、落下するなどの不具合を生じることがない。また、例えば、当該被記録材スタッカにカッター装置を装着する場合において、その位置決めが容易かつ、確実である。
【００１８】
また、請求項５に記載の被記録材スタッカの発明は、請求項１から請求項４のいずれか一項において、当該被記録材スタッカは、蓋部と、この蓋部が取り付けられる本体部から構成される、上面が被記録材載置面をなすスタッカ基部を有し、前記蓋部に前記付勢手段が配設されているとともに、当該蓋部に前記記録装置本体部に構成された下向きの係合突起を貫通して当該付勢手段と接触可能とする穴部が形成されていることを特徴とする。
【００１９】
本発明の被記録材スタッカによれば、簡単な構造で、第１ポジションと第２ポジションとをとり得る被記録材スタッカを構成することができる。
【００２０】
また、請求項６に記載の被記録材スタッカの発明は、請求項５において、前記スタッカ基部は、使用時には排紙方向に向けて当該スタッカ基部から引き出されることによって上面が当該スタッカ基部とともに被記録材載置面を形成し、非使用時には上流側に向けて押し込まれることによって当該スタッカ基部に収納される、当該スタッカ基部に対して摺動可能に取り付けられたスタッカ引き出し部を有していることを特徴とする。
【００２１】
本発明の被記録材スタッカによれば、スタッカ基部に対して摺動可能に取り付けられたスタッカ引き出し部を有しているため、例えば、被記録材の縦長さがスタッカ基部より大であっても、このスタッカ引き出し部をスタッカ基部より引き出して使用することにより、被記録材を確実にスタッカすることが可能であり、落下するなどの不具合を生じることがない。
【００２２】
また、請求項７に記載の記録装置の発明は、請求項１から請求項６のいずれか一項に記載の被記録材スタッカを備えていることを特徴とする。本発明の記録装置によれば、請求項１から請求項６のいずれか一項に記載の作用効果と同様の作用効果をもつ記録装置を得ることができる。
【００２３】
【発明の実施の形態】
以下図面に基づいて、本発明の一実施形態について説明する。
【００２４】
＜インクジェットプリンタの構成＞
まず、図１から図３を参照しつつ、本発明に係る記録装置としてのインクジェットプリンタ（以下、「プリンタ」という。）の全体構成について概説する。ここで、図１および図２は本発明に係るプリンタの外観斜視図であり、図３は同プリンタの概略側面図である。
【００２５】
プリンタ１００は、装置本体部９の後方側（上流側）に被記録材を給送する被記録材給送装置としての給紙装置２を、前方側（下流側）には後に詳説する被記録材スタッカ５０を備えている。被記録材としての用紙Ｐ（単票紙など）は、被記録材給送装置２によって給紙され、記録部において印刷が行われた後、用紙排出口６から被記録材スタッカ５０に向けて排紙される。
【００２６】
また、給紙装置２には、図２に示す如く、ロール状に巻かれたロール紙を回動可能に軸支するロール紙ホルダ（図示せず）を装着可能に構成されていて、また用紙排出口６にはこのロール紙を所定長さでカットするカッター装置９０を装着可能となっている。このように本実施形態に係るプリンタ１００は、通常の用紙Ｐ（単票紙など）とロール紙を使用可能に構成されている。
【００２７】
次に図３を参照しつつ、プリンタ１００の内部構成について説明する。
このプリンタ１００は、前述したようにその上流側に給紙装置２を備えている。この給紙装置２は、ホッパ１６を備え、このホッパ１６に用紙Ｐを傾斜姿勢で複数枚堆積保持している。ホッパ１６は、その上流側に回動支点（図示せず）を有し、この回動支点を中心として回動することにより、側面視略Ｄ型の給紙ローラ１４に向けて圧接および離間動作を行うことができるように構成されている。用紙Ｐは、ホッパ１６の給紙ローラ１４に向けての圧接動作によって押し上げられ、最上位のものが給紙ローラ１４と圧接する。この状態において、給紙ローラ１４が回動（図３において反時計回り）することにより、この最上位の用紙Ｐが下流側へと給紙されるようになっている。
【００２８】
給紙ローラ１４の下流の下方には、用紙ガイド１５がほぼ水平に配置され、給紙装置２から給紙された用紙Ｐをガイドして下流側へと案内する。
【００２９】
用紙ガイド１５より下流側には、図示しない駆動手段によって回転駆動する搬送駆動ローラ１９ａと、この搬送駆動ローラ１９ａに当接して従動回転する搬送従動ローラ１９ｂとから構成されている搬送ローラ１９が配設されている。搬送駆動ローラ１９ａは、用紙Ｐの搬送経路と直交する主走査方向に長い棒状のローラで構成されており、一方の搬送従動ローラ１９ｂは、主走査方向に短く、かつ主走査方向に所定の間隔で複数配設されている。そして用紙Ｐは、搬送ローラ１９によって狭圧されて、下流側に搬送される。
【００３０】
この搬送従動ローラ１９ｂは、搬送従動ローラホルダ１８の下流側において軸支されている。この搬送従動ローラホルダ１８は、回動軸１８ａを中心として回動可能に構成されており、かつ、ねじりコイルバネ（図示せず）によって、搬送駆動ローラ１９ａに向けて回動付勢されている。
【００３１】
搬送従動ローラホルダ１８の上流側には、カム回動軸２１を回動中心として回動可能なカム部材２２が配設されている。このカム回動軸２１が回動することにより、カム部材２２がカムフォロア部１８ｂに上方から当接して、回動支点１８ａを中心として搬送従動ローラホルダ１８を回動させることにより、搬送従動ローラ１９ｂを上方に退避することができるように構成されている。
【００３２】
搬送ローラ１９の下流側近傍には、被記録材に印刷を行う記録部が構成されている。この記録部には、プラテン２８および記録ヘッド１３が上下に対向するように配設されている。このプラテン２８は、主走査方向に長く構成されており、搬送されてきた用紙Ｐを下側から支持することができるようになっている。
【００３３】
記録ヘッド１３は、キャリッジ１０の底部に搭載されており、このキャリッジ１０は、主走査方向に延びるキャリッジガイド軸１２に沿って主走査方向に往復移動することができるようになっている。また、キャリッジ１０は、例えばイエロー、マゼンダ、シアン、ブラックなどの複数のインクカートリッジ１１を備えており、カラー印刷を実行することができる。
【００３４】
記録部より下流側は、用紙Ｐの排出部となっており、図示しない駆動手段によって回転駆動する排紙駆動ローラ２０ａと、この排紙駆動ローラ２０ａに軽く当接することによって従動回転する排紙従動ローラ２０ｂとからなる、排紙ローラ２０が配置されている。排紙従動ローラ２０ｂは、その外周に複数の歯を有する歯付きローラから構成されていて、排紙フレーム（図示せず）に取り付けられている。そして、この排紙ローラ２０の下流側は、用紙排出口６となっており、後述する被記録材スタッカ５０が配設されている。
【００３５】
＜被記録材スタッカの構成＞
次に、図４から図７を参照しつつ、被記録材スタッカ５０の構成について説明する。ここで、図４は本発明に係るプリンタの一部拡大外観斜視図であり、図５は図４の一部省略図であり、図６は同プリンタの側面図であって、カッター装置の非装着状態を示すものであり、図７は同側面図であって、カッター装置の装着状態を示すものである。
【００３６】
被記録材スタッカ５０は、箱形の形状をなすスタッカ基部５１と、このスタッカ基部５１に収納される引き出し部５２を有している。さらにスタッカ基部５１は、蓋部５１ａと、この蓋部５１ａが取り付けられる本体部５１ｂから構成されており、上面が被記録材載置面を形成している。
【００３７】
被記録材スタッカ５０の上流側両側面には側方に向けて突出した回動軸５０ａが設けられており、この回動軸５０ａは装置本体部１０に形成された軸受け部（図示せず）に回動可能に軸支されており、これによって被記録材スタッカ５０が装置本体部９に取り付けられている。
【００３８】
そして、使用時には引き出し部５２を排紙方向に引き出すことにより、スタッカ基部５１と引き出し部５２の上面が被記録材の広い載置面を形成し、排紙された被記録材を確実にスタックする。また、非使用時には引き出し部５２が上流側に向けて押し込まれることによってスタッカ基部５１に収納されて、プリンタ１００の載置面積を小さくしている。さらに、被記録材スタッカ５０が回動軸５０ａを中心に上方（装置本体部側）に回動することによって、当該被記録材スタッカ５０が略垂直状態となり、プリンタ１００の載置面積をより少なくすることができるように構成されている。なお、前記引き出し部５２は、複数段に渡って伸縮する構成とすることもできる。
【００３９】
次に、被記録材スタッカ５０のとるポジションについて説明する。被記録材スタッカ５０は使用時において、２つのポジションをとり得るように構成されている。図１及び図６は、下流側端部が上方向を向くような傾斜姿勢である第１ポジションを示し、図２及び図７は、回動支点５０ａを中心として水平方向に回動した略水平姿勢である第２ポジションを示している。
【００４０】
図６に示す如く、被記録材スタッカ５０は第１ポジションにおいて、用紙Ｐをスタックし、この用紙Ｐが落下するなどの不具合を生じる虞のない傾斜角度（θ）を保っている。この傾斜姿勢である第１ポジションは、付勢手段としての板バネ５５の付勢力（反力）によって形成されている。
【００４１】
より具体的には、装置本体部９の下流側に、被記録材スタッカ５０と係合可能な係合部３０が配設されており、この係合部３０は下向きの係合突起３１と、被記録材スタッカ５０の上流側端部に設けられたストッパ部５３と係合する位置決め部３２を有している。
【００４２】
一方、被記録材スタッカ５０の回動支点５０ａの上流側には、一部材からなる板バネ５５が配設されている。この板バネ５５は、図５に示す如く被記録材搬送経路に直交するように、すなわち図６及び図７に示す如く被記録材搬送経路を側視して前後方向に延びるように配設されている。さらに、この板バネ５５は、その中心位置で蓋部５１ａとバネ止め部５９（固定部）の一カ所で取り付けられ、このバネ止め部５９の両端部が自由端部を形成している。また、当該板バネ５５の上部位置の蓋部５１ａには、前記係合突起３１を貫通してこの板バネ５５と接触可能とする穴部５６が形成されている。
【００４３】
このような構成により、使用時において被記録材スタッカ５０が回動支点５０ａを中心として水平方向に回動することにより、係合突起３１が穴部５６を貫通して板バネ５５の上方から接触する。これにより板バネ５５がたわんで付勢力が発生し、当該被記録材スタッカ５０を所定の傾斜角度（θ）として第１ポジションを形成することができる。すなわち、回動軸５０ａの高さ位置より下方に延びる係合突起３１が、穴部５１ａを通って板バネ５５と接触することによって、板バネ５５がたわんで付勢力を発生させ、被記録材スタッカ５０を傾斜姿勢である第１ポジションで維持しているものである。
【００４４】
従って、この第１ポジションは強固に保持されていない、柔軟性のある姿勢であるため、例えば被記録材スタッカ５０に必要以上の下向きの外力が付与された場合には、板バネ５５の付勢力によって弾性的に水平方向に回動することにより、被記録材スタッカ５０の破損を回避することができるようになっている。
【００４５】
また、付勢手段としての板バネ５５の付勢力を調節することによって、被記録材スタッカの傾斜角度（θ）を適宜調節することができ、もって用紙Ｐをスタックする際に最適な傾斜角度（θ）とすることができるとともに、複数枚の用紙Ｐがスタックした場合であっても、その傾斜角度（θ）を維持することが可能である。すなわち、図１は被記録材スタッカ５０が第１ポジションを形成している状態を示しているものである。
【００４６】
このような構造により、付勢手段としての板バネ５５が被記録材スタッカ５０の内部に配設されているため、ユーザーが板バネ５５に接触する虞がなく、接触することによる不具合を生じることがない。また、プリンタ１００の外観として観察不可能であるため、板バネ５５に特別の処理を施す必要がなく、コスト低減を図ることが可能である。
【００４７】
次に図７に示す被記録材スタッカ５０の第２ポジションについて説明する。この第２ポジションは、例えばロール紙などを所定長さでカットするカッター装置９０を用紙排紙口６に装着する場合に形成される。このようにカッター装置９０を装着する場合には、傾斜姿勢である被記録材スタッカ５０と干渉してしまうため、この被記録材スタッカ５０が装着の妨げとなる。従って、被記録材スタッカ５０は、前記した第１ポジションの他に、この第２ポジションを形成することができるように構成されているものである。
【００４８】
第２ポジションは、被記録材スタッカ５０をカッター装置９０によって板バネ５５の付勢力に抗して水平方向に回動させて略水平姿勢とすることによって形成され、この姿勢においてカッター装置９０を用紙排紙口６に向けてスライドさせて装置本体部９に取り付けることが可能となる。すなわち、カッター装置９０が板バネ５５に作用して、被記録材スタッカ５０の第２ポジションを形成させる作用手段として機能している。
【００４９】
また、被記録材スタッカ５０の上流側端部にはストッパ部５３が設けられており、このストッパ部５３が装置本体部９の位置決め部３２と係合することによって、被記録材スタッカ５０の第２ポジションの位置決めがなされ、かつ下流側端部が必要以上に下を向く回動（図７において時計回り）を規制している。すなわち、第１ポジションの被記録材スタッカ５０の上方からカッター装置９０を載置することにより、当該被記録材スタッカ５０は板バネ５５の付勢力に抗して、回動軸５０ａを中心として水平方向に、ストッパ部５３が位置決め部３２に係合するまで回動する。これにより、被記録材スタッカ５０は第２ポジションを形成するとともに、カッター装置９０との干渉が解消して、当該カッター装置９０を装置本体部９に取り付けることが可能となる。すなわち、図２はカッター装置９０が装着して、被記録材スタッカ５０が第２ポジションを形成している状態を示しているものである。
【００５０】
また、カッター装置９０を取り外した場合には、板バネ５５に作用する作用手段がなくなるため、被記録材スタッカ５０は傾斜姿勢に戻り第１ポジションを形成する。
【００５１】
【発明の効果】
以上説明したように、本発明に係る被記録材スタッカは、下流側端部が上方向を向くような傾斜姿勢において被記録材をスタックする第１ポジションと、この第１ポジションから水平方向に回動して略水平姿勢となる第２ポジションと、をとり得るように構成されている。従って、第１ポジションにおいては、記録部において記録が行われた被記録材を確実にスタックすることができ、一方、第２ポジションにおいては、例えば、被記録材を所定長さでカットするカッター装置を装着する際に、当該カッター装置が被記録材スタッカと干渉することがなく、スムーズに装着することができる。
【００５２】
また、この第１ポジションを形成する付勢手段が当該被記録材スタッカの内部に配設されているため、外観からの観察が不可能となり、ユーザーが接触することがないとともに、特別の処理を施す必要がない。
【図面の簡単な説明】
【図１】本発明に係るインクジェットプリンタの外観斜視図であって、カッター装置の非装着状態を示したものである。
【図２】同外観斜視図であって、カッター装置の装着状態を示したものである。
【図３】同インクジェットプリンタの概略側面図である。
【図４】同インクジェットプリンタの一部拡大外観斜視図である。
【図５】図４の一部省略図である。
【図６】本発明に係るインクジェットプリンタの側面図であって、カッター装置の非装着状態を示すものである。
【図７】同側面図であって、カッター装置の装着状態を示すものである。
【符号の説明】
２　給紙装置
６　用紙排紙口
９　記録装置本体部
１０　キャリッジ
１１　インクカートリッジ
１２　キャリッジガイド軸
１３　記録ヘッド
１４　給紙ローラ
１５　ガイド板
１６　ホッパ
１８　搬送従動ローラホルダ
１９　搬送ローラ
２０　排紙ローラ
２１　カム回動軸
２２　カム部材
２８　プラテン
３０　係合部
３１　係合突起
３２　位置決め部
５０　被記録材スタッカ
５０ａ　回動軸
５１　スタッカ基部
５２　引き出し部
５３　ストッパ部
５５　板バネ
５６　穴部
５９　バネ止め部
９０　カッター装置
１００　インクジェットプリンタ
【図１】
2004043094.tif 000003
【図２】
2004043094.tif 000004
【図３】
2004043094.tif 000005
【図４】
2004043094.tif 000006
【図５】
2004043094.tif 000007
【図６】
2004043094.tif 000008
【図７】
2004043094.tif 000009